(57)【要約】      （修正有）【課題】製造工程を簡単化にするとともに、生産の効率を高めることができるゴルフクラブを提供する。【解決手段】一個のヘッド本体１を有するゴルフクラブにおいて、ヘッド本体１には一個の基材層ａおよび一個の複合転写印刷層３が含まれ。基材層ａには一個の結合面ａ１が含まれる。複合転写印刷層３は基材層ａの結合面ａ１に形成され、複合転写印刷層３には一個の着色料層３１と一個の保護層３２が含まれ、着色料層３１は基材層ａと保護層３２の間に介在するように構成されている。【選択図】図３
0003173240.tif 000002
【実用新案登録請求の範囲】
【請求項１】
一個のヘッド本体（１）を有するゴルフクラブにおいて、ヘッド本体（１）には一個の基材層（ａ）および一個の複合転写印刷層（３）が含まれ、基材層（ａ）には一個の結合面（ａ１）が含まれ、複合転写印刷層（３）は基材層（ａ）の結合面（ａ１）に形成され、複合転写印刷層（３）には一個の着色料層（３１）と一個の保護層（３２）が含まれ、着色料層（３１）は基材層（ａ）と保護層（３２）の間に介在するように形成されることを特徴とするゴルフクラブ。
【請求項２】
他に一個の底部塗層（３０）が含まれ、底部塗層（３０）は基材層（ａ）の結合面（ａ１）に設けられ、かつ基材層（ａ）と着色料層（３１）の間に位置するように形成されることを特徴とする請求項１に記載のゴルフクラブ。
【請求項３】
着色料層（３１）は一個のインク層からなり、かつヘッド本体（１）の表面上において少なくとも一種類の色を有する図案が形成されることを特徴とする請求項１に記載のゴルフクラブ。
【請求項４】
保護層（３２）は一個の透明層に形成されることを特徴とする請求項１に記載のゴルフクラブ。
【請求項５】
他に一個の剥膜接着剤層（３３）が含まれ、剥膜接着剤層（３３）は剥離自在に保護層（３２）の一方の側に被覆されることを特徴とする請求項１に記載のゴルフクラブ。
【請求項６】
一個のシャフト（５）を有するゴルフクラブにおいて、シャフト（５）には一個の基材層（ａ）および一個の複合転写印刷層（３）が含まれ、基材層（ａ）には一個の結合面（ａ１）が含まれ、複合転写印刷層（３）は基材層（ａ）の結合面（ａ１）に形成され、複合転写印刷層（３）には一個の着色料層（３１）と一個の保護層（３２）が含まれ、着色料層（３１）は基材層（ａ）と保護層（３２）の間に介在するように形成されることを特徴とするゴルフクラブ。
【請求項７】
他に一個の底部塗層（３０）が含まれ、底部塗層（３０）は基材層（ａ）の結合面（ａ１）に設けられ、かつ基材層（ａ）と着色料層（３１）の間に位置するように形成されることを特徴とする請求項６に記載のゴルフクラブ。
【請求項８】
着色料層（３１）は一個のインク層からなり、かつヘッド本体（１）の表面上において少なくとも一種類の色を有する図案が形成されることを特徴とする請求項６に記載のゴルフクラブ。
【請求項９】
保護層（３２）は一個の透明層であるように形成されることを特徴とする請求項６に記載のゴルフクラブ。
【請求項１０】
他に一個の剥膜接着剤層（３３）が含まれ、剥膜接着剤層（３３）は剥離自在に保護層（３２）の一方の側に被覆されることを特徴とする請求項６に記載のゴルフクラブ。
【考案の詳細な説明】
【技術分野】
【０００１】
本考案はゴルフクラブに関するもので、特に、ヘッド本体の表面に図案、模様を有する複合層状構造を形成されるゴルフクラブに係わるものである。
【背景技術】
【０００２】
従来のゴルフクラブについて、例えば中華民国公告第Ｍ２９８４６２号の「ゴルフクラブヘッドとその部材」においては、金属基材の表面において透明色の塗料層を塗布し、この透明色の塗料層に樹脂と塗料が含まれることにより、光線が透明色の塗料層を貫穿して金属基材の表面まで達することができ、それにより、金属基材の金属光沢と透明色の塗料層の塗料の色を反射するようにしたものがある。
【０００３】
しかし、上述した従来技術では、ゴルフクラブの表面において上記金属基材の光沢と上記透明色の塗料層の色しか出すことができず、ゴルフクラブの表面において図案または文字を形成することができないため、業界では吹付けまたは転写印刷の技術を移用してゴルフクラブの表面に図案または文字を形成するようにした考案があった。
【０００４】
一般的に、ゴルフクラブの表面の図案または文字は大体平面状であり、仮にゴルフクラブの表面において一個の図案を形成しようとする場合、主に先ずゴルフクラブの上記表面において予め吹付け塗装の方式でゴルフクラブの上記表面に対して上記図案の背景色を吹付ける。それから、マスキング用フィルムまたはテープを利用して上記図案を形成してゴルフクラブの上記表面に粘着させる。続いて、再び吹付け塗装の方式でゴルフクラブの上記表面に対してもう一個の背景色を吹付ける。最後に、ゴルフクラブの上記表面から上記マスキング用フィルムまたはテープを剥がすことにより、上記図案がゴルフクラブの表面に形成されるようにしたものがある。
【０００５】
また、もう一種の従来のゴルフクラブでは、そのものの表面において加工して形成しようとする図案の区域に対して研磨によるバフ研磨処理を行う。それから、選択的に水転写印刷または熱転写印刷などの方式によって図案層を直接ゴルフクラブの表面においてバフ研磨処理を完成した区域までに転写印刷する。その中に、上記図案層には少なくとも一個の背景色が含まれ、そして一個の透光しないインク層からなるため、上記図案層は上記ゴルフクラブの表面において一個の図案を形成することができる。最後に、上記図案層の表面において一個のＰＵ消光性塗料（ポリウレタン消光性塗料）を塗布することにより、上記図案層において一個の保護層を形成するようにとしたものがある。
【先行技術文献】
【特許文献】
【０００６】
【特許文献１】中華民国公告第Ｍ２９８４６２号
【考案の概要】
【考案が解決しようとする課題】
【０００７】
上記のような従来のゴルフクラブにおいては、一般的に次のような問題点を有している。上述した従来のゴルフクラブは吹付け塗装の方式を利用して直接その表面に複数個の図案層を形成するもので、吹付け塗装では一回につき一種類の色しか吹き付けることができず、同じ部位で重複に塗装したり乾かしたりするなどの問題点を有するため、仮に図案の色が多い場合、上述した図案層を形成する製造工程において時間が掛かるばかりか、着色料の浪費にもなり易いという問題点があった。
【０００８】
また、もう一種の従来のゴルフクラブにおいては、そのものの表面において順序良く上記図案層と保護層などの複合層状の構造を形成し、また上記図案層そのものの透光しない特性を利用し、さらに上記保護層の透視効果を利用することにより、上記図案層は上記ゴルフクラブの表面に上記図案を現すことができるが、従来のゴルフクラブでは余分に転写印刷と塗布による二段階の製造工程を利用しなければ、上記図案層と保護層を順序良く形成することができないため、その製造工程が複雑過ぎるとともに、全体の生産効率が悪くなるという問題点があった。このように、上記のような従来のゴルフクラブはさらに改良を必要とするものであった。
【０００９】
本考案はこのような問題点に鑑みて考案されたものであって、その主な目的とするところは、ゴルフクラブの表面において一回の成形方式で直接図案層と保護層などを同時に有する一個の複合層状の構造の複合転写印刷層を設けることにより、全体の製造の効率を高めることができるゴルフクラブを提供することにある。
【００１０】
本考案の第二の目的は、ゴルフクラブの表面に複合層状の構造を形成することにより、ゴルフクラブの表面に予定される図案を現すことができるゴルフクラブを提供することである。
【課題を解決するための手段】
【００１１】
上記目的を達成するために、本考案によるゴルフクラブは、一個のヘッド本体を有するゴルフクラブにおいて、ヘッド本体には一個の基材層および一個の複合転写印刷層が含まれる。基材層には一個の結合面が含まれる。複合転写印刷層は基材層の結合面に形成され、複合転写印刷層には一個の着色料層と一個の保護層が含まれ、着色料層は基材層と保護層の間に介在するように形成される。
【００１２】
また、他に一個の底部塗層を含むこともでき、底部塗層は基材層の結合面に設けられ、かつ基材層と着色料層の間に位置するように形成される。また、着色料層は一個のインク層からなり、かつヘッド本体の表面上において少なくとも一種類の色を有する図案が形成することもできる。また、保護層は一個の透明層であるように形成することもできる。また、他に一個の剥膜接着剤層を含むこともでき、剥膜接着剤層は剥離自在に保護層の一方の側に被覆される。
【００１３】
また、同じ技術思想に基づいて、本発明によるゴルフクラブは、以下のように構成することもできる。一個のシャフトを有するゴルフクラブにおいて、シャフトには一個の基材層および一個の複合転写印刷層が含まれる。基材層には一個の結合面が含まれる。複合転写印刷層は基材層の結合面に形成され、複合転写印刷層には一個の着色料層と一個の保護層が含まれ、着色料層は基材層と保護層の間に介在するように形成される。
【００１４】
さらに、他に一個の底部塗層を含むこともでき、底部塗層は基材層の結合面に設けられ、かつ基材層と着色料層の間に位置するように形成される。また、着色料層は一個のインク層からなり、かつヘッド本体の表面上において少なくとも一種類の色を有する図案が形成することもできる。また、保護層は一個の透明層であるように形成されることもできる。また、他に一個の剥膜接着剤層を含むこともでき、剥膜接着剤層は剥離自在に保護層の一方の側に被覆される。
【考案の効果】
【００１５】
本考案のゴルフクラブによれば、ゴルフクラブの表面に、一回の成形方式で直接図案層と保護層などを同時に有する一個の複合層状の構造の複合転写印刷層を設けることにより、全体の製造効率を高めることができるという利点がある。
【００１６】
また、本考案のゴルフクラブによれば、ゴルフクラブの表面に複合層状の構造を形成することにより、予定される図案をゴルフクラブの表面に現すことができるという利点がある。
【図面の簡単な説明】
【００１７】
【図１】図１は、本考案の実施例１のゴルフクラブによる複合転写印刷層がヘッド本体の上蓋に形成される斜視図である。
【図２】図２は、本考案の実施例１のゴルフクラブによる複合転写印刷層がヘッド本体の表面に設置される前の側面断面図である。
【図３】図３は、本考案の実施例１のゴルフクラブによる複合転写印刷層がヘッド本体の表面に設置された状態の側面断面図である。
【図４】図４は、本考案の実施例１のゴルフクラブによる剥膜接着剤層が保護層から剥離された状態の側面断面図である。
【図５】図５は、本考案の実施例１のゴルフクラブによる底部塗層を省略した状態の局部拡大断面図である。
【図６】図６は、本考案の実施例２のゴルフクラブによる複合転写印刷層がヘッド本体のシャフトに形成される斜視図である。
【考案を実施するための形態】
【００１８】
本考案の実施の形態について、以下、図面を参照して説明する。
【実施例１】
【００１９】
図１は本考案の実施例１のゴルフクラブによる複合転写印刷層がヘッド本体の上蓋に形成される斜視図である。図１を参照すると、本考案の実施例１のゴルフクラブは、選択的に、ウッド型、アイアン型またはパター型などのゴルフクラブの構造からなり、そしてゴルフクラブの材質は使用上の需要性に応じて、選択的に、炭素鋼、ステンレス鋼（１７‐４ＰＨステンレス鋼）、合金鋼、フェロ−マンガン−アルミ合金、ニッケル合金、鋳鉄、超合金鋼、チタン合金鋼、銅合金、アルミ合金、マグネシウム合金、炭素繊維などの金属、非金属または上記材質の組合せからなることができる。
【００２０】
その中、実施例１のゴルフクラブはウッド型のヘッドを実施形態として形成され、上記ゴルフクラブには一個のヘッド本体１および一個のフェース板２が含まれる。ヘッド本体１には一個の打球正面１１が含まれ、かつ打球正面１１には一個の組立開口１２が設けられる。フェース板２は組立開口１２の内に位置合わせされて結合される。
【００２１】
図２は本考案の実施例１のゴルフクラブによる複合転写印刷層がヘッド本体の表面に設置される前の側面断面図である。図１、２を参照すると、実施例１のゴルフクラブは選択的にヘッド本体１を一個の基材層ａとする。基材層ａには一個の結合面ａ１が含まれ、結合面ａ１はヘッド本体１の外表面である。本考案のゴルフクラブには他に一個の複合転写印刷層３が含まれ、複合転写印刷層３は選択的に水転写印刷または熱転写印刷などの方式を利用して直接基材層ａの結合面ａ１に形成することができる。実施例１においては選択的に複合転写印刷層３をヘッド本体１の上蓋の表面に形成させるものを実施形態として説明を行なうが、これに限定されるものではなく、複合転写印刷層３をヘッド本体１のその他の部位、例えば、底板またはヒール部などの部位に形成させることもできる。
【００２２】
図２を参照すると、複合転写印刷層３は一個のウォーターマークまたは熱転写印刷材からなり、複合転写印刷層３には一個の底部塗層３０、一個の着色料層３１、一個の保護層３２および一個の剥膜接着剤層３３が含まれる。底部塗層３０は基材層ａの結合面ａ１に設けられ、かつ基材層ａと着色料層３１の間に位置するように形成される。底部塗層３０は一個の媒質として用いられ、底部塗層３０によって後続の製造工程で結合面ａ１に塗布される各種の材料は結合面ａ１から不用意に脱落し難くなる。
【００２３】
底部塗層３０を形成する一個の下地塗料は選択的にポリウレタン（polyurethane、ＰＵ）、ポリエステル樹脂（polyester resin）、ポリカーボネート（polycarbonate、ＰＣ）、ナイロン樹脂（nylon resin）、フルオロカーボン（fluorocabon）、ＡＢＳ樹脂（acrylonitrile-butadiene-styrene）、ポリアセタール（polyacetals）、エポキシ樹脂（epoxy resin）または不飽和のポリエステル樹脂（unsatuated polyester resin）からなり、かつ選択的に少なくとも一種の顔料が混入されることにより、少なくとも一個の背景色が現出する。また、底部塗層３０によって基材層ａの表面の平坦さを確保することができるとともに、さらに基材層ａの表面において酸化現象が生じるのを避けることができる。
【００２４】
着色料層３１は底部塗層３０の表面に設けられ、かつ底部塗層３０と保護層３２の間に位置するように形成される。着色料層３１は主に一個のインク層からなり、かつヘッド本体１の表面において少なくとも一種類の色を有する図案４が形成される。その中に、図案４は選択的に識別符号、図案、文字またはその他の設計模様などからなり、例えば実施例１の図案４は選択的に二種類の色を有する識別符号（図１参照）からなる。また、着色料層３１の色は好ましくは底部塗層３０の色と異なるように形成される。勿論、着色料層３１の色も選択的に底部塗層３０の色と同じ色で形成することもできるが、好ましくは彩度または輝度において区別を有するように形成されることにより、対比による視覚効果を現出することができる。
【００２５】
保護層３２は着色料層３１の一方の側に被覆され、かつ着色料層３１と剥膜接着剤層３３の間に位置するように形成される。保護層３２の材質は好ましくはポリウレタンからなり、かつ保護層３２は一個の透明の保護層からなるため、保護層３２が基材層ａと着色料層３１に被覆される時に各層の色を覆い隠すことなく、かつ着色料層３１が摩擦によって壊れたり脱落したりするのを防止することができる。
【００２６】
剥膜接着剤層３３は保護層３２一方の側に被覆され、剥膜接着剤層３３はアクリル樹脂またはその他の樹脂により製造される。剥膜接着剤層３３には着色料層３１と粘着した後に剥離しても余分な粘着剤または顔料が残らない使用上の特性を有するものが使用される。
【００２７】
図３は本考案の実施例１のゴルフクラブによる複合転写印刷層がヘッド本体の表面に設置された状態の側面断面図で、図４は本考案の実施例１のゴルフクラブによる剥膜接着剤層が保護層から剥離された状態の側面断面図である。図２、３、４を参照すると、実施例１において、仮にヘッド本体１の上蓋の表面において図案４を形成しようとする場合は、選択的に先ず基材層ａの結合面ａ１に対してバフ研磨とサンドブラスト処理を行うことにより、結合面ａ１のスムージングと平坦度を確保することができる。
【００２８】
それから、水転写印刷または熱転写印刷の方式を利用して複合転写印刷層３を結合面ａ１に設けることにより、底部塗層３０、着色料層３１、保護層３２および剥膜接着剤層３３は順序良く基材層ａの上に積層され、さらにゴルフクラブの表面において一個の複合層状の構造が形成される。その中に、ゴルフクラブの表面処理が完成した後、選択的に剥膜接着剤層３３を保護層３２の表面から剥離させることにより、保護層３２はゴルフクラブの外表面（図４参照）から露出されるため、保護層３２は着色料層３１によって図案４が現れ出るのに影響を及ぼさないという前提で、図案４を保護するという目的を達成することができる。
【００２９】
その他に、図５は本考案の実施例１のゴルフクラブによる底部塗層を省略した状態の局部拡大断面図である。図５を参照すると、実施例１の複合転写印刷層３では底部塗層３０の設置を省き、直接底部塗層３０の上に順序良く着色料層３１と保護層３２を設けることもできる。本考案において底部塗層３０を省くことにより、ヘッド本体１の表面における形成の製造工程を簡単化にし、さらに製造工程の時間を節約することができる。
【実施例２】
【００３０】
図６は本考案の実施例２のゴルフクラブによる複合転写印刷層がヘッド本体のシャフトに形成される斜視図である。図６を参照すると、本考案の実施例２のゴルフクラブは、実施例１と比較して、複合転写印刷層３はさらに選択的に一個のシャフト５の外表面に形成され、その中に複合転写印刷層３には同様に一個の底部塗層３０、一個の着色料層３１、一個の保護層３２および一個の剥膜接着剤層３３が含まれ、底部塗層３０、着色料層３１、保護層３２および剥膜接着剤層３３の構造や配置の形態は上述した実施例１とは大体同じであるため、ここではその説明を省く。
【００３１】
本考案の主な技術的特徴は、一回の製造工程を利用してゴルフクラブのヘッド本体１、シャフト５またはその他のヘッド部材の表面において底部塗層３０、着色料層３１、保護層３２および剥膜接着剤層３３などの複合層状の構造を形成することにより、製造工程を簡単化にするとともに、生産の効率を高めることができる。
【００３２】
本考案は、その精神および必須の特徴事項から逸脱することなく他のやり方で実施することができる。従って、本明細書に記載した実施例は例示的なものであり、限定的なものではない。
【符号の説明】
【００３３】
１    ヘッド本体
１１    打球正面
１２    組立開口
２    フェース板
３    複合転写印刷層
３０    底部塗層
３１    着色料層
３２    保護層
３３    剥膜接着剤層
４    図案
５    シャフト
ａ    基材層
ａ１    結合面
【図１】
0003173240.tif 000003
【図２】
0003173240.tif 000004
【図３】
0003173240.tif 000005
【図４】
0003173240.tif 000006
【図５】
0003173240.tif 000007
【図６】
0003173240.tif 000008
【手続補正書】
【提出日】平成23年11月29日(2011.11.29)
【手続補正１】
【補正対象書類名】図面
【補正対象項目名】図１
【補正方法】変更
【補正の内容】
【図１】
0003173240.tif 000009
【手続補正２】
【補正対象書類名】図面
【補正対象項目名】図６
【補正方法】変更
【補正の内容】
【図６】
0003173240.tif 000010